(57)【要約】【課題】機器本体の内外を移動自在な移動部と該移動部を出し入れする開口部との間に記録媒体を挿入した際に当該記録媒体が傷つくことを防止できる電子機器を提供する。【解決手段】電子機器としてのカーナビ１は機器本体２と表示ユニット３と回転ローラ５と音発生部６を備えている。機器本体２の前面２ｃには表示ユニット３を出し入れする開口部２ａとＣＤを出し入れする挿入口２ｂが設けられている。回転ローラ５は開口部２ａと挿入口２ｂとの間に回転自在に設けられている。音発生部６は回転ローラ５が回転すると音を発生する。【選択図】図６
2007287200.tif 000002
【特許請求の範囲】
【請求項１】
前面に記録媒体を出し入れする挿入口が設けられた機器本体と、
前記前面に設けられた開口部を通して機器本体の内外に移動自在に設けられた移動部と、を備えた電子機器において、
前記挿入口と前記開口部との間に配置され、前記前面に軸芯回りに回転自在に配置されているとともに、少なくとも外周面が弾性材料で構成された回転ローラと、
前記回転ローラが前記軸芯回りに回転すると音を発生する音発生部と、
を備えたことを特徴とする電子機器。
【請求項２】
前記音発生部は、前記回転ローラと前記前面とのうち一方に取り付けられて、前記回転ローラが回転すると他方に当接するばね部材を備えたことを特徴とする請求項１記載の電子機器。
【請求項３】
前記ばね部材が、前記前面に取り付けられ、
前記音発生部が、前記回転ローラと同軸に配置されかつ該回転ローラに取り付けられているとともに、前記ばね部材と当接可能な歯車を備えたことを特徴とする請求項２記載の電子機器。
【発明の詳細な説明】
【技術分野】
【０００１】
本発明は、例えば自動車等の移動体に装着されるとともに、機器本体に対して出し入れ自在に設けられた表示部などの移動部を備えた電子機器に関する。
【背景技術】
【０００２】
従来から、移動体としての自動車には、電子機器としてのナビゲーション装置（以下カーナビと呼び、例えば、特許文献１参照）が取り付けられることがある。カーナビは、箱状の本体部と、この本体部に出し入れ自在な表示部とを備えている。
【０００３】
本体部は、扁平な箱状に形成されており、前述した自動車のインストルメントパネルに取り付けられる。本体部は、ナビゲーションユニット、テレビチューナや、ＤＶＤ（Digital Versatile Disk）プレーヤなどを収容している。表示部は、扁平な板状に形成されており、例えば、ＬＣＤ（Liquid Crystal Display）などの表示パネルを備えている。表示部は、表示パネルに前述したナビゲーションユニットからの情報、ＣＤプレーヤが再生した情報や、テレビチューナが受信したテレビ映像を表示する。
【０００４】
また、前述した本体部は、前述した表示部を本体部に出し入れする駆動機構などを備えている。駆動機構は、表示パネルが下方に相対する状態で前述した表示部を本体部に収容した収容位置と、この表示部を表示パネルの表面に沿って本体部外に一旦移動して該本体部外に位置付けた露出位置とに亘って、前記表示部を移動する。また、駆動機構は、前述した露出位置から表示部の下端部を中心として回転して、表示パネルを使用者に対して相対させる。
【０００５】
前述した特許文献１に示されたカーナビは、本体部内に表示部を収容した状態で、駆動機構が表示パネルの表面に沿って表示部を本体部外に一旦移動する。そして、駆動機構が、下端部を中心として表示部を回転して、表示パネルを前述した自動車の乗員などに相対させる。そして、前述したカーナビは、ナビゲーションユニットからの情報、ＣＤプレーヤが再生した情報や、テレビチューナが受信したテレビ映像を表示パネルに表示する。
【０００６】
また、特許文献１に示されたカーナビの本体部には、前述した記録媒体としてのＤＶＤを出し入れするための挿入口が設けられている。
【特許文献１】特開２００４−３０６９０３号公報
【発明の開示】
【発明が解決しようとする課題】
【０００７】
前述した電子機器としてのカーナビは、本体部の前面に移動部としての表示部を出し入れするための開口部と、記録媒体としてのＤＶＤを出し入れするための挿入口とを設けている。このため、挿入口を通して本体部に挿入しようとするＤＶＤが、前記開口部と表示部との間の隙間に侵入しやすかった。勿論、記録媒体としてのＤＶＤを前述した隙間に挿入しようとすると、当該記録媒体としてのＤＶＤの情報記録面が表示部や開口部の内縁などと接触して、傷ついてしまうことがあった。
【０００８】
したがって、本発明の目的は、例えば、機器本体の内外を移動自在な移動部と該移動部を出し入れする開口部との間などに記録媒体を挿入した際に、当該記録媒体が傷つくことを防止できる電子機器を提供することにある。
【課題を解決するための手段】
【０００９】
前記課題を解決し目的を達成するために、請求項１に記載の本発明の電子機器は、前面に記録媒体を出し入れする挿入口が設けられた機器本体と、前記前面に設けられた開口部を通して機器本体の内外に移動自在に設けられた移動部と、を備えた電子機器において、前記挿入口と前記開口部との間に配置され、前記前面に軸芯回りに回転自在に配置されているとともに、少なくとも外周面が弾性材料で構成された回転ローラと、前記回転ローラが前記軸芯回りに回転すると音を発生する音発生部と、を備えたことを特徴としている。
【発明を実施するための最良の形態】
【００１０】
以下、本発明の一実施形態にかかる電子機器を説明する。本発明の一実施形態にかかる電子機器は、開口部と挿入口との間に外周面が弾性材料で構成された回転自在な回転ローラを設けることで、開口部の内縁と移動部との間に挿入された記録媒体が当該回転ローラの外周面と当接して、該記録媒体を回転ローラで支持するようにしている。こうすることで、開口部の内縁と移動部との間に記録媒体が挿入されるとともに、回転ローラが回転する。よって、記録媒体の情報記録面が他の物品と擦れることを防止できるので、当該記録媒体が傷つくことを防止することができる。
【００１１】
回転ローラが回転すると音を発生する音発生部を備えているので、回転ローラが回転したか否か即ち移動部と開口部の内縁との間に記録媒体が挿入されたか否かを容易に把握することができる。したがって、記録媒体を移動部と開口部の内縁との間に挿入した際に速やかに当該記録媒体の挿入を止めることができる。したがって、記録媒体が傷つくことをより確実に防止することができる。
【００１２】
また、音発生部が回転ローラと前面とのうち一方に取り付けられて、他方と当接するばね部材を備えても良い。この場合、回転ローラが回転すると即ち移動部と開口部の内縁との間に記録媒体が挿入されると、回転ローラの回転に連動して、ばね部材の弾性変形と中立状態との復帰が繰り替えされることとなって、当該ばね部材が前述した他方に断続的に当接する。このため、回転ローラが回転すると即ち移動部と開口部の内縁との間に記録媒体が挿入されると、音発生部が確実に音を生じて、回転ローラが回転したか否か即ち移動部と開口部の内縁との間に記録媒体が挿入されたか否かを容易に把握することができる。
【００１３】
さらに、音発生部がばね部材と当接する回転ローラと同軸の歯車を備えているので、回転ローラが回転すると、歯車の歯がばね部材に当接する。したがって、回転ローラの回転とともに、ばね部材が歯車の歯によって、弾性変形と中立状態への復帰とを繰り返すこととなる。したがって、音発生部が、回転ローラが回転すると即ち移動部と開口部の内縁との間に記録媒体が挿入されると、より確実に音を生じることとなる。
【実施例】
【００１４】
本発明の一実施例を、図１ないし図９に基づいて説明する。電子機器としてのカーナビゲーション装置（以下、カーナビと呼ぶ）１は、図１などに示すように、移動体としての自動車のインストルメントパネル（以下、インパネと呼ぶ）Ｄなどに装着される。
【００１５】
カーナビ１は、図２ないし図６に示すように、機器本体２と、機器本体２内に出し入れ自在に設けられた移動部としての表示ユニット３と、機器本体２内に表示ユニット３を出し入れする移送手段としての駆動機構４（図４及び図５に示す）と、回転ローラ５（図６に示す）と、音発生部６（図６に示す）などを備えている。
【００１６】
機器本体２は、扁平な箱状に形成されている。機器本体２は、インパネＤに取り付けられる。機器本体２は、インパネＤに装着された際に、自動車の乗員室側に相対向する前面２ｃに表示ユニット３を出し入れする開口部２ａと後述の記録媒体としてのＣＤ７（図７乃至図９に示す）などを出し入れする挿入口２ｂとを設けている。なお、以下、図２などに示す前述した自動車の車幅方向を矢印Ｘで示し、前述した自動車の前後方向を矢印Ｙで示し、前述した自動車の高さ方向を矢印Ｚで示す。更に、図示例では、カーナビ１の幅方向が矢印Ｘと一致し、カーナビ１の奥行き方向が矢印Ｙと一致し、カーナビ１の厚み方向が矢印Ｚと一致している。
【００１７】
また、機器本体２は、ナビゲーションユニットと、ＣＤプレーヤと、テレビチューナなどを収容している。即ち、カーナビ１は、ナビゲーションユニットと、ＣＤプレーヤと、テレビチューナを更に備えている。
【００１８】
ナビゲーションユニットは、ＧＰＳ（Global Positioning System：全地球測位システム）などを備えている。ナビゲーションユニットは、ＧＰＳなどを用いて、自動車の位置を測定したり、自動車の移動方向などを算出する。そして、ナビゲーションユニットは、自動車の位置や移動方向などを表示ユニット３の後述する表示パネル３ａに表示する。ＣＤプレーヤは、記録媒体としての周知のＣＤ（Compact Disk）７の情報を読み出してを再生する。
【００１９】
テレビチューナは、テレビ放送を受信して、受信して得た映像を表示ユニット３の表示パネル３ａに表示する。
【００２０】
表示ユニット３は、液晶ディスプレイ（Liquid Crystal Display）などからなる文字や画像などの情報を運転者などに向かって表示して視認させるための表示面としての表示パネル３ａと、この表示パネル３ａを収容する筐体部材３ｂなどを備えている。表示ユニット３は、前記機器本体２内に、表示パネル３ａが下方に相対した状態で収容される。表示ユニット３は、駆動機構４により開口部２ａ内を通って機器本体２内外に移動自在である。表示ユニット３の表示パネル３ａは、前述したナビゲーションユニットと、テレビチューナからの情報を表示する。
【００２１】
また、前述した機器本体２の前面２ｃには、図１、図２及び図６に示すように、操作手段としての操作部１３が設けられている。操作部１３は、複数の操作ボタン１４などを備えている。これらの操作ボタン１４則ち操作部１３は、前述した表示パネル３ａに表示する情報を、ナビゲーションユニットからの情報と、テレビチューナからの情報とを切り換えるためなどに用いられる。
【００２２】
また、操作ボタン１４則ち操作部１３は、機器本体２内から表示ユニット３を出し入れするためや、後述の視認位置で、表示ユニット３の向きを調整するためなどに用いられる。このため、操作ボタン１４則ち操作部１３は、視認位置にある表示ユニット３を後述の収容位置に移動させるための指令を発する。さらに、操作ボタン１４則ち操作部１３は、挿入口２ｂを通してＣＤ７を出し入れするために用いられる。
【００２３】
駆動機構４は、表示ユニット３を機器本体２内に収容された収容位置（図２に示す）から機器本体２外に排出された露出位置（図４に示す）に向かって、矢印Ｙ即ち機器本体２の奥行き方向に沿って移動する。則ち、駆動機構４は、開口部２ａを通して、機器本体２内の表示ユニット３を機器本体２外に排出させる。
【００２４】
また、駆動機構４は、表示ユニット３を前述の露出位置から収容位置に向かって、矢印Ｙ即ち機器本体２の奥行き方向に沿って移動する。則ち、駆動機構４は、開口部２ａを通して、機器本体２外の表示ユニット３を機器本体２内に収容する。こうして、駆動機構４は、機器本体２内に収容された収容位置と、機器本体２内から排出された露出位置とに亘って、表示ユニット３などを移動する。
【００２５】
さらに、駆動機構４は、機器本体２内から排出されて則ち収容位置から移動されて露出位置（図４に示す）に位置付けられた表示ユニット３を、前述した端部３ｃを中心として回転して、表示パネル３ａが乗員室内の乗員などと相対する図５に示す視認位置に向かって移動させる。
【００２６】
また、駆動機構４は、前述した視認位置に位置付けられたに位置付けられた表示ユニット３を、前述した端部３ｃを中心として回転して、表示パネル３ａが下方に相対する前述した露出位置に向かって移動させる。このように、駆動機構４は、表示ユニット３を立ち上げて又は立ち下げて、収容位置から移動されて位置する露出位置と、表示パネル３ａに表示した情報を乗員に視認させる視認位置とに亘って、表示ユニット３などを変位する。
【００２７】
回転ローラ５は、図６及び図７に示すように、芯軸８と、弾性ローラ１０とを備えている。芯軸８は、金属で構成されかつ円柱状に形成されている。芯軸８は、その長手方向が、前述した幅方向Ｘと平行に配置されている。芯軸８は、支持片９によって回転自在に支持されている。支持片９は、芯軸８の両端に取り付けられている。また、支持片９は、機器本体２の前面２ｃに取り付けられているとともに、挿入口２ｂと開口部２ａとの間に配置されている。このため、回転ローラ５は、挿入口２ｂと開口部２ａとの間に配置され、かつ機器本体２の前面２ｃにその軸芯Ｐ（図６中に一点鎖線で示す）回りに回転自在に支持されている。
【００２８】
弾性ローラ１０は、ゴムなどの弾性変形自在な合成樹脂（弾性材料）で構成されており、円筒状に形成されている。弾性ローラ１０は、内側に芯軸８を通して、該芯軸８の外周に取り付けられている。弾性ローラ１０は、芯軸８に固定されている。弾性ローラ１０は、芯軸８と同軸に配置されている。このため、弾性ローラ１０が芯軸８の外周に取り付けられることで、回転ローラ５は、少なくとも外周面が弾性材料で構成されている。
【００２９】
前述した構成によれば、回転ローラ５は、挿入口２ｂ内に挿入されようとしたＣＤ７が開口部２ａの内縁と表示ユニット３との間に挿入されると、当該ＣＤ７の表面が弾性ローラ１０の外周面に当接する。すると、回転ローラ５は、芯軸８が機器本体２に回転自在に支持されているので、開口部２ａの内縁と表示ユニット３との間の奥にＣＤ７が挿入されるのにしたがって、弾性ローラ１０がＣＤ７の表面に対して滑ることなく、回転する。
【００３０】
音発生部６は、図６及び図８に示すように、歯車１１と、ばね部材としてのばね片１２とを備えている。歯車１１は、芯軸８の一端部の外周に取り付けられているとともに、該芯軸８と同軸に配置されている。このように、歯車１１は、回転ローラ５に取り付けられている。
【００３１】
ばね片１２は、図９に示すように、取付部１５と、当接変形部１６とを一体に備えている。取付部１５は、機器本体２に前面２ｃに取り付けられている。即ち、ばね片１２は、機器本体２の前面２ｃに取り付けられている。当接変形部１６は、板状に形成され、かつ取付部１５から歯車１１に向かって延在している。当接変形部１６は、勿論、図９中に二点鎖線で示すように弾性変形自在であるとともに、その先端が歯車１１の歯に当接している。このように、当接変形部１６即ちばね片１２は、歯車１１を介して回転ローラ５に当接するとともに、歯車１１は、ばね片１２の当接変形部１６の先端に当接可能である。
【００３２】
前述した構成の音発生部６は、回転ローラ５が回転すると同時に歯車１１が回転する。すると、音発生部６は、歯車１１の歯がばね片１２に断続的に当接して、当該ばね片１２が図９中に二点鎖線で示す弾性変形している状態と、図９中に実線で示す弾性変形していない中立状態への復帰とを繰り返す。そして、音発生部６は、ばね片１２が弾性変形していない中立状態への復帰する際に、歯車１１に勢い良く当接して、音を発生する。このように、音発生部６は、回転ローラ５が軸芯Ｐ回りに回転すると、音を発生する。
【００３３】
本実施例によれば、開口部２ａと挿入口２ｂとの間に外周面が弾性材料で構成された回転自在な回転ローラ５を設けることで、開口部２ａの内縁と表示ユニット３との間に挿入されたＣＤ７が当該回転ローラ５の外周面と当接して、該ＣＤ７を回転ローラ５で支持する。こうすることで、開口部２ａの内縁と表示ユニット３との間にＣＤ７が挿入されるとともに、回転ローラ５が回転する。よって、ＣＤ７の情報記録面が他の物品と擦れることを防止できるので、当該ＣＤ７が傷つくことを防止することができる。
【００３４】
回転ローラ５が回転すると音を発生する音発生部６を備えているので、回転ローラ５が回転したか否か即ち表示ユニット３と開口部２ａの内縁との間にＣＤ７が挿入されたか否かを容易に把握することができる。したがって、ＣＤ７を表示ユニット３と開口部２ａの内縁との間に挿入した際に速やかに当該ＣＤ７の挿入を止めることができる。したがって、ＣＤ７が傷つくことをより確実に防止することができる。
【００３５】
また、音発生部６が回転ローラ５と前面２ｃとのうち前面２ｃに取り付けられて、他方と当接するばね片１２を備えている。このため、回転ローラ５が回転すると即ち表示ユニット３と開口部２ａの内縁との間にＣＤ７が挿入されると、回転ローラ５の回転に連動して、ばね片１２の弾性変形と中立状態との復帰が繰り替えされることとなって、当該ばね片１２が前述した他方に断続的に当接する。このため、回転ローラ５が回転すると即ち表示ユニット３と開口部２ａの内縁との間にＣＤ７が挿入されると、音発生部６が確実に音を生じて、回転ローラ５が回転したか否か即ち表示ユニット３と開口部２ａの内縁との間にＣＤ７が挿入されたか否かを容易に把握することができる。
【００３６】
さらに、音発生部６がばね片１２と当接する回転ローラ５と同軸の歯車１１を備えているので、回転ローラ５が回転すると、歯車１１の歯がばね片１２に当接する。したがって、回転ローラ５の回転とともに、ばね片１２が歯車１１の歯によって、弾性変形している状態と中立状態への復帰とを繰り返すこととなる。したがって、音発生部６が、回転ローラ５が回転すると即ち表示ユニット３と開口部２ａの内縁との間にＣＤ７が挿入されると、より確実に音を生じることとなる。
【００３７】
前述した実施例では、ばね片１２を機器本体２の前面２ｃに取り付けているが、本発明では、回転ローラ５に取り付けて、機器本体２の前面２ｃに当接させるようにしても良い。この場合、歯車１１を設ける必要がない。また、本発明では、エンコーダなどの回転ローラ５の回転を検出する検出手段を設け、該検出手段が回転ローラ５の回転を検出すると、周知のスピーカから当該回転ローラ５が回転したことを示す音を発するようにしても良い。
【００３８】
前述した実施例では、ＣＤプレーヤを示している。しかしながら、本発明では、ＣＤ７以外の種々の記録媒体の情報を再生する再生装置を用いても良い。さらに、本発明では、表示ユニット３以外の種々の物品を機器本体２に出し入れしても良い。
【００３９】
前述した実施例によれば、以下のカーナビ１が得られる。
【００４０】
（付記）  前面２ｃにＣＤ７を出し入れする挿入口２ｂが設けられた機器本体２と、
前記前面２ｃに設けられた開口部２ａを通して機器本体２の内外に移動自在に設けられた表示ユニット３と、を備えたカーナビ１において、
前記挿入口２ｂと前記開口部２ａとの間に配置され、前記前面２ｃに軸芯Ｐ回りに回転自在に配置されているとともに、少なくとも外周面が弾性材料で構成された回転ローラ５と、
前記回転ローラ５が前記軸芯Ｐ回りに回転すると音を発生する音発生部６と、
を備えたことを特徴とするカーナビ１。
【００４１】
付記によれば、開口部２ａと挿入口２ｂとの間に外周面が弾性材料で構成された回転自在な回転ローラ５を設けることで、開口部２ａの内縁と表示ユニット３との間に挿入されたＣＤ７が当該回転ローラ５の外周面と当接して、該ＣＤ７を回転ローラ５で支持する。こうすることで、開口部２ａの内縁と表示ユニット３との間にＣＤ７が挿入されるとともに、回転ローラ５が回転する。よって、ＣＤ７の情報記録面が他の物品と擦れることを防止できるので、当該ＣＤ７が傷つくことを防止することができる。
【００４２】
回転ローラ５が回転すると音を発生する音発生部６を備えているので、回転ローラ５が回転したか否か即ち表示ユニット３と開口部２ａの内縁との間にＣＤ７が挿入されたか否かを容易に把握することができる。したがって、ＣＤ７を表示ユニット３と開口部２ａの内縁との間に挿入した際に速やかに当該ＣＤ７の挿入を止めることができる。したがって、ＣＤ７が傷つくことをより確実に防止することができる。
【００４３】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００４４】
【図１】本発明の一実施例にかかる電子機器としてのカーナビが自動車のインパネに取り付けられた状態を示す斜視図である。
【図２】図１に示されたカーナビの表示ユニットが収容位置に位置付けられた状態を示す斜視図である。
【図３】図２に示された表示ユニットが筐体内から徐々に排出される状態を示す斜視図である。
【図４】図３に示された表示ユニットが露出位置に位置付けられた状態を示す斜視図である。
【図５】図４に示された表示ユニットが露出位置から視認位置に変位した状態を示す斜視図である。
【図６】図２に示されたカーナビの要部を拡大して示す斜視図である。
【図７】図６中のＶＩＩ−ＶＩＩ線に沿う断面図である。
【図８】図６中のＶＩＩＩ−ＶＩＩＩ線に沿う断面図である。
【図９】図８の要部を拡大して示す断面図である。
【符号の説明】
【００４５】
１  カーナビ（電子機器）
２  機器本体
２ａ  開口部
２ｂ  挿入口
２ｃ  前面
３  表示ユニット（移動部）
５  回転ローラ
６  音発生部
７  ＣＤ（記録媒体）
Ｐ  軸芯
【図１】
2007287200.tif 000003
【図２】
2007287200.tif 000004
【図３】
2007287200.tif 000005
【図４】
2007287200.tif 000006
【図５】
2007287200.tif 000007
【図６】
2007287200.tif 000008
【図７】
2007287200.tif 000009
【図８】
2007287200.tif 000010
【図９】
2007287200.tif 000011